(57)【要約】【課題】ロール紙をロール紙繰出し部およびロール紙搬送部により繰出し搬送して印字部による印字を行いロール紙カット部により所定の長さにカットを行うロール紙取扱装置において、従動ローラにロータリーエンコーダを接続する構造であるために、構造が複雑になり、さらに、ロータリーエンコーダから送信されるパルス信号をカウントする機構を設けなければならないという問題がある。【解決手段】ロール紙繰出し部５のロール紙１０のロール紙径を検知する２つの透過センサ１１、１２をロール紙１０に並べて配置したことを特徴とする。【選択図】図２
2010069843.tif 000002
【特許請求の範囲】
【請求項１】
ロール紙をロール紙繰出し部およびロール紙搬送部により繰出し搬送して印字部による印字を行いロール紙カット部により所定の長さにカットを行うロール紙取扱装置において、
ロール紙繰出し部のロール紙のロール紙径を検知する２つの透過センサをロール紙に並べて配置したことを特徴とするロール紙取扱装置。
【請求項２】
請求項１において、
ロール紙のカット位置をロール紙カット部まで搬送するときの、ロール紙搬送部のパルスモータの搬送量（パルス数）をＡパルスとし、
両透過センサが共にＯＮしている場合に、ロール紙のカット位置をロール紙カット部まで搬送するときのロール紙繰出し部のパルスモータによる繰出し量（パルス数）をＢパルスとし、
ロール紙に対して外側に位置している透過センサがＯＦＦで、内側に位置する透過センサがＯＮの場合に、ロール紙のカット位置をロール紙カット部まで搬送するときのロール紙繰出し部のパルスモータによる繰出し量（パルス数）をＣパルスとし、
両透過センサが共にＯＦＦしている場合に、ロール紙のカット位置をロール紙カット部まで搬送するときのロール紙繰出し部のパルスモータによる繰出し量（パルス数）をＤパルスとし、
上記搬送量（パルス数）の関係を、Ｂ＞Ｃ＞Ａ＝Ｄとしたことを特徴とするロール紙取扱装置。
【請求項３】
請求項１記載のロール紙取扱装置において、
ロール紙径が大きく両透過センサが共にＯＦＦしている状態ではロール紙繰出し部のパルスモータによる繰出し量（パルス数）は大とし、ロール紙に対して外側に位置している透過センサがＯＦＦで、内側に位置している透過センサがＯＮの場合に、ロール紙のカット位置をロール紙カット部まで搬送するときのロール紙繰出し部のパルスモータによる繰出し量（パルス数）を中とし、両透過センサが共にＯＦＦしている状態ではロール紙のカット位置をロール紙カット部まで搬送するときのロール紙繰出し部のパルスモータによる繰出し量（パルス数）を少とするロール紙の取扱い方法。
【発明の詳細な説明】
【技術分野】
【０００１】
本発明は、繰り出されるロール紙が搬送ローラとロールとの間でスリップ等によって発生するロール紙の送り量のばらつきをなくして所定の裁断寸法を得ることができるようにするロール紙取扱装置およびロール紙の取扱い方法に関する。
【背景技術】
【０００２】
従来のロール紙の弛み定量装置は、ロール紙をパルスモータによって駆動される定寸送りローラの回転により送り出し、所定量送り出されたロール紙をカット段でカットするものにおいて、前記送りローラの回転により送り出されるロール紙の先端部をセンサによって検知し、さらに、送りローラと従動ローラとによりロール紙を挟持し、ロール紙の送り出しに伴って従動ローラに接続されているロータリーエンコーダから出力されるパルス信号をカウントし、所定のカウント数になるまで送りローラを回転させてロール紙を送り出し、送り出されたロール紙をカット手段でカットする技術がある（例えば、特許文献１参照）。
【特許文献１】特開２００２−２０８０３９
【発明の開示】
【発明が解決しようとする課題】
【０００３】
しかしながら、上述した従来の技術においては、従動ローラにロータリーエンコーダを接続する構造であるために、構造が複雑になり、さらに、ロータリーエンコーダから送信されるパルス信号をカウントする機構を設けなければならないという問題がある。
本発明は、このような問題を解決することを課題とする。
【課題を解決するための手段】
【０００４】
そこで本発明は、ロール紙をロール紙繰出し部およびロール紙搬送部により繰出し搬送して印字部による印字を行いロール紙カット部により所定の長さにカットを行うロール紙取扱装置において、ロール紙繰出し部のロール紙のロール紙径を検知する２つの透過センサをロール紙に並べて配置したことを特徴とする。
さらに、上記装置において、ロール紙のカット位置をロール紙カット部まで搬送するときの、ロール紙搬送部のパルスモータの搬送量（パルス数）をＡパルスとし、両透過センサが共にＯＮしている場合に、ロール紙のカット位置をロール紙カット部まで搬送するときのロール紙繰出し部のパルスモータの搬送量（パルス数）をＢパルスとし、ロール紙に対して外側に位置している透過センサがＯＦＦで、内側に位置する透過センサがＯＮの場合に、ロール紙のカット位置をロール紙カット部まで搬送するときのロール紙繰出し部のパルスモータの搬送量（パルス数）をＣパルスとし、両透過センサが共にＯＦＦしている場合に、ロール紙のカット位置をロール紙カット部まで搬送するときのロール紙繰出し部のパルスモータの搬送量（パルス数）をＤパルスとし、上記搬送量（パルス数）の関係を、Ｂ＞Ｃ＞Ａ＝Ｄとしたことを特徴とする。
【０００５】
そこで、このようなロール紙取扱装置において、ロール紙径が大きく両透過センサが共にＯＦＦしている状態ではロール紙繰出し部のパルスモータの搬送量（パルス数）は多くし、ロール紙に対して外側に位置している透過センサがＯＦＦで、内側に位置している透過センサがＯＮの場合に、ロール紙のカット位置をロール紙カット部まで搬送するときのロール紙繰出し部のパルスモータの搬送量（パルス数）を中間とし、両透過センサが共にＯＦＦしている状態ではロール紙のカット位置をロール紙カット部まで搬送するときのロール紙繰出し部のパルスモータの搬送量（パルス数）は少なくするようにしたことを特徴とする。
【発明の効果】
【０００６】
このようにした本発明は、ロール紙のカット位置までの弛みを一定量に保つことができ、ロール紙径によってカットしたカット媒体の長さが短くなったり弛みが原因でロール紙が折れ曲がったりすることがないという効果が得られる。
【発明を実施するための最良の形態】
【０００７】
以下、図面を参照して本発明による実施例を発券装置を用いて説明する。
【実施例】
【０００８】
図１は実施例を示す構成ブロック図、図２は構成例を示す説明図である。
図において、１は券面印字データを管理・保有している情報センタ、２は印字データ毎のレイアウトを管理して発券を指示する制御部、３はこの制御部２から指示された発券動作を行う発券装置、４は制御部２からの指示を解析し、装置内の各処理部を制御する発券制御部、５はロール紙１０を繰り出すロール紙繰出し部、６はロール紙１０を搬送するロール紙搬送部、７は搬送されたロール紙１０の所定箇所に印字を行う印字部、８は繰り出されたロール紙１０を所定長さにカットするロール紙カット部である。
【０００９】
１１、１２はロール紙１０の径を測るために設けた２つの透過センサである。
上記ロール紙繰出し部５は、ロール紙１０に当接してロール紙１０を回転させてロール紙１０を繰出す繰出しローラ１４をパルスモータ１３により駆動する。また、ロール紙搬送部６はパルスモータ１５により搬送ローラ１６を駆動してロール紙１０を搬送する。
１７はカットされたカット紙の排出用ローラである。１８はロール紙１０の先端検出センサである。
【００１０】
上述した構成の作用について説明する。
まず、大きな流れを説明する。
（１）情報センタ１から発券装置３へ、発券コマンドを送信する。
（２）発券装置３は、ロール紙繰出し部５とロール紙搬送部６によりロール紙１０を繰り出してパルスモータ１３、１５が予めセットしてある規定パルス数回転したところ（もしくは図示しないセンサがロール紙の先端を検知したこと。）より印字部７により印字を開始し、搬送に従って印字が進行・終了し、さらに規定パルス数回転したところでパルスモータ１３、１５を停止してロール紙１０の搬送を停止する。
（３）ロール紙カット部８によりロール紙１０をカットする。
（４）上記（２）で停止した際にロール紙１０の先端を先端検出センサ１８が検出すると排出用ローラ１７が駆動を始める。
（５）上記（３）でカットされたカット券を排出用ローラ１７によって発券装置３から排出する。
【００１１】
上記（２）において、ロール紙カット部８まで搬送するときに、ロール紙繰出し部５のパルスモータ１３とロール紙搬送部６のパルスモータ１５による搬送距離を同じにすれば、ロール紙１０は弛んだり引っ張られてきつくなったりはしないはずであるが、ロール紙１０の径が大きい間は、ロール紙１０の重量が大きいためにロール紙繰出し部５に負荷がかかり、ロール紙繰出し部５の繰出し量が少なくなる。そのため、ロール紙繰出し部５のパルスモータ１３とロール紙搬送部６のパルスモータ１５の搬送量が同じである場合には、ロール紙径が大きい間は、「ロール紙搬送部６の搬送量＞ロール紙繰出し部５の繰出し量」となり、ロール紙搬送部６がロール紙繰出し部５のロール紙１０を引っ張る状態になり、弛みがなくなってロール紙１０がぴんと張ってしまい、図３に示す如く、搬送する距離がΔ分短くなり、カット位置がずれてカットしたカット券の券長が短くなってしまう。
【００１２】
また、券長が短くなるのを防ぐために、ロール紙繰出し部５の繰出し量を多くすると、図４に示すようなロール紙径が大きい間は問題がないが、ロール紙径が小さくなるに従い重量が小さくなるために負荷が小さくなり、その結果「ロール紙繰出し部５の繰出し量＞ロール紙搬送部６の搬送量」となり、図５に示す如く、弛みが大きくなってロール紙１０が折れ曲がる原因になる。
【００１３】
そこで本発明は、ロール紙径を測る所定の間隔をあけて並べて設けた２つの透過センサ１１、１２により、ロール紙径を３段階で判断するようにした。
まず、ロール紙１０のカット位置をロール紙カット部８まで搬送するときの、ロール紙搬送部６のパルスモータ１５による搬送量（パルス数）をＡパルスとする。
透過センサ１１と１２が共にＯＮしている場合に、ロール紙１０のカット位置をロール紙カット部８まで搬送するときのロール紙繰出し部５のパルスモータ１３による繰出し量（パルス数）をＢパルスとする（図６）。
【００１４】
ロール紙１０に対して外側に位置している透過センサ１１がＯＦＦで、内側に位置する透過センサ１２がＯＮの場合に、ロール紙１０のカット位置をロール紙カット部８まで搬送するときのロール紙繰出し部５のパルスモータ１３による繰出し量（パルス数）をＣパルスとする（図７）。
透過センサ１１と１２が共にＯＦＦしている場合に、ロール紙１０のカット位置をロール紙カット部８まで搬送するときのロール紙繰出し部５のパルスモータ１３による繰出し量（パルス数）をＤパルスとする（図８）。
【００１５】
上記搬送量（パルス数）の関係は、Ｂ＞Ｃ＞Ａ＝Ｄとする。
そこで、予め発券装置３の発券制御部４で上記搬送量（パルス数）Ａ〜Ｄの値を持っておき、ロール紙径によりロール紙繰出し部５のパルスモータ１３による繰出し量（パルス数）をＢ〜Ｄの間で切り替える。なお、このＢ〜Ｄのパルス数は、保守で補正値を設定できるようにしてある。なお、この搬送中に印字部７による印字が行われる。
【００１６】
したがって、ロール紙径が大きく透過センサ１１と１２が共にＯＦＦしている状態ではロール紙１０の重量が大きいためにロール紙繰出し部５のパルスモータ１３による繰出し量（パルス数）は大となり（図６）、透過センサ１１がＯＦＦで透過センサ１２がＯＮの場合に、ロール紙１０のカット位置をロール紙カット部８まで搬送するときのロール紙繰出し部５のパルスモータ１３による繰出し量（パルス数）は中であり（図７）、ロール紙径が小さく透過センサ１１と１２が共にＯＦＦしている状態ではロール紙１０の重量が小さくなったために、ロール紙１０のカット位置をロール紙カット部８まで搬送するときのロール紙繰出し部５のパルスモータ１３による繰出し量（パルス数）は少となってロール紙搬送部６のパルスモータ１５による搬送量と同じとなる（図８）。
【００１７】
以上により、ロール紙のカット位置までの弛みを一定量に保つことができ、ロール紙径によってカットしたカット媒体の長さが短くなったり弛みが原因でロール紙が折れ曲がったりすることがない。
【図面の簡単な説明】
【００１８】
【図１】実施例を示すブロック図
【図２】実施例を示す説明図
【図３】問題点を示す説明図
【図４】作動状態を示す説明図
【図５】問題点を示す説明図
【図６】作動状態を示す説明図
【図７】作動状態を示す説明図
【図８】作動状態を示す説明図
【符号の説明】
【００１９】
１  情報センタ
２  制御部
３  発券装置
４  発券制御部
５  ロール紙繰出し部
６  ロール紙搬送部
７  印字部
８  ロール紙カット部
１０  ロール紙
１１、１２  透過センサ
１３  パルスモータ
１４  繰出しローラ
１５  パルスモータ
１６  搬送ローラ
１７  排出用ローラ
１８  先端検出センサ
【図１】
2010069843.tif 000003
【図２】
2010069843.tif 000004
【図３】
2010069843.tif 000005
【図４】
2010069843.tif 000006
【図５】
2010069843.tif 000007
【図６】
2010069843.tif 000008
【図７】
2010069843.tif 000009
【図８】
2010069843.tif 000010